(57)【特許請求の範囲】
【請求項１】
支柱の下端部にコンクリート基礎材が打設されることで、前記支柱が地面に立設される支柱基礎構造において、
前記支柱には前記コンクリート基礎材に埋め込まれる領域に固定金具が装着され、該固定金具は前記支柱の側面を構成する第１の面に取付けられる第１金具と、前記支柱の側面のうち前記第１の面と対向する第２の面に取付けられる第２金具とからなり、
前記第１金具は、前記第１の面及び該第１の面と直交する前記支柱の側面に対し抱き込むように当接する凹部と、該凹部の開口側端部から略直角方向に延びる平面部とを有してなり、前記第２金具は、前記第２の面に当接する当接面と、該当接面から外方に延びて前記平面部と対向する対向面とが平板状に形成されてなり、前記平面部と対向面は所定間隔を有して対向すると共に締結具により連結固定されてなることを特徴とする支柱基礎構造。
【請求項２】
前記支柱は上端部で一方向側に向かって延びる梁を支持し、前記第１の面または第２の面のいずれか一方は前記梁の延びる方向に面していることを特徴とする請求項１記載の支柱基礎構造。
【請求項３】
前記支柱は前記コンクリート基礎材の中央よりも一方側に偏って配置され、前記第１の面は前記コンクリート基礎材の中央に対して偏った側に面するように配置されることを特徴とする請求項１または２記載の支柱基礎構造。
【請求項４】
前記固定金具は前記支柱のコンクリート基礎材に埋め込まれる領域のうち上部と下部にそれぞれ装着されることを特徴とする請求項１〜３のいずれか１項に記載の支柱基礎構造。
【請求項５】
前記固定金具は前記支柱のコンクリート基礎材に埋め込まれる領域のうち上端部から下端部に渡る上下方向幅を有してなることを特徴とする請求項１〜３のいずれか１項に記載の支柱基礎構造。
【発明の詳細な説明】
【技術分野】
【０００１】
本発明は、カーポートやテラスなどを構成する支柱を地面に立設するための支柱基礎構造に関し、特に支柱の下端部に取付金具を設けると共にコンクリート基礎材を打設してなる支柱基礎構造に関する。
【背景技術】
【０００２】
カーポートやテラスなどの構造物においては、支柱を地面に立設し、立設された支柱によって梁などを支持するようにしている。このため、支柱は地面に強固に支持される必要があり、そのための構造として支柱基礎構造が用いられる。支柱基礎構造としては、支柱の下端部付近の領域にコンクリート基礎材を打設してなるものが知られている。
【０００３】
通常、支柱はコンクリート基礎材の平面視における中央部に埋設され、これによって立設強度を充分に確保することができる。しかし、住宅事情の変化に伴い狭小地化が進んだため、少しでもスペースを有効に使いたいという要望が高まり、支柱の立設強度を確保しつつコンクリート基礎材の中央から一方側に偏った位置に支柱を埋設する構造が望まれている。そして、このような支柱基礎構造としては例えば特許文献１に挙げるようなものがある。
【特許文献１】特開２００６−１５２５８６号公報
【発明の開示】
【発明が解決しようとする課題】
【０００４】
従来の技術においては、支柱の下端部に配置された偏芯基礎部材を取付け、この偏芯基礎部材を含めて支柱の下端部をコンクリート基礎材の中に埋設することにより、強度を確保しながら支柱を偏芯させることとしていた。しかし、従来の支柱基礎構造は、偏芯基礎部材の構造が比較的複雑であり、部品数も多いためにコストが高くなるという問題があった。また、偏芯基礎部材は支柱を偏芯させる場合にのみ用いられるものであって、支柱もを通常のようにコンクリート基礎材の中央部に埋設する場合には使えないものであることから、用途が限定され、さらに高コスト化を招くものとなっていた。
【０００５】
本発明は、上記課題を解決すべくなされたものであり、支柱の埋設位置をコンクリート基礎材の中央部から偏芯させても確実に強度を確保でき、かつ低コストな支柱基礎構造を提供することを目的とする。
【課題を解決するための手段】
【０００６】
上記課題を解決するため、本発明に係る支柱基礎構造は、支柱の下端部にコンクリート基礎材が打設されることで、前記支柱が地面に立設される支柱基礎構造において、
前記支柱には前記コンクリート基礎材に埋め込まれる領域に固定金具が装着され、該固定金具は前記支柱の側面を構成する第１の面に取付けられる第１金具と、前記支柱の側面のうち前記第１の面と対向する第２の面に取付けられる第２金具とからなり、
前記第１金具は、前記第１の面及び該第１の面と直交する前記支柱の側面に対し抱き込むように当接する凹部と、該凹部の開口側端部から略直角方向に延びる平面部とを有してなり、前記第２金具は、前記第２の面に当接する当接面と、該当接面から外方に延びて前記平面部と対向する対向面とが平板状に形成されてなり、前記平面部と対向面は所定間隔を有して対向すると共に締結具により連結固定されてなることを特徴として構成されている。
【０００７】
また、本発明に係る支柱基礎構造は、前記支柱は上端部で一方向側に向かって延びる梁を支持し、前記第１の面または第２の面のいずれか一方は前記梁の延びる方向に面していることを特徴として構成されている。
【０００８】
さらに、本発明に係る支柱基礎構造は、前記支柱は前記コンクリート基礎材の中央よりも一方側に偏って配置され、前記第１の面は前記コンクリート基礎材の中央に対して偏った側に面するように配置されることを特徴として構成されている。
【０００９】
さらにまた、本発明に係る支柱基礎構造は、前記固定金具は前記支柱のコンクリート基礎材に埋め込まれる領域のうち上部と下部にそれぞれ装着されることを特徴として構成されている。
【００１０】
そして、本発明に係る支柱基礎構造は、前記固定金具は前記支柱のコンクリート基礎材に埋め込まれる領域のうち上端部から下端部に渡る上下方向幅を有してなることを特徴として構成されている。
【発明の効果】
【００１１】
本発明に係る支柱基礎構造によれば、支柱にはコンクリート基礎材に埋め込まれる領域に固定金具が装着され、固定金具は支柱の第１の面に取付けられる第１金具と、支柱の第２の面に取付けられる第２金具とからなり、第１金具は、第１の面及び該第１の面と直交する支柱の側面に対し抱き込むように当接する凹部と、凹部の開口側端部から略直角方向に延びる平面部とを有してなり、第２金具は、第２の面に当接する当接面と、当接面から外方に延びて平面部と対向する対向面とが平板状に形成されてなり、平面部と対向面は所定間隔を有して対向すると共に締結具により連結固定されてなることにより、第１金具により固定金具の支柱に対する固定強度を充分に確保し、かつ平面部と対向面の間の隙間にコンクリートが充填されるので平面部と対向面により支柱の立設強度を大きくすることができるので、支柱の埋設位置をコンクリート基礎材の中央部から偏芯させても確実に強度を確保できる。また、固定金具は第１金具と第２金具で支柱を挟持し連結固定されるだけの簡易な構成であることから、部品数が少なく低コスト化を図ることができる。さらに、支柱をコンクリート基礎材の中央部に埋設する場合でも固定金具を用いることができるので、支柱を立設する立地条件にかかわらず本構造を用いることができる。
【００１２】
また、本発明に係る支柱基礎構造によれば、支柱は上端部で一方向側に向かって延びる梁を支持し、第１の面または第２の面のいずれか一方は梁の延びる方向に面していることにより、梁によって支柱にかかる荷重を確実に第１金具の平面部と第２金具の対向面で受けることができる。
【００１３】
さらに、本発明に係る支柱基礎構造によれば、支柱はコンクリート基礎材の中央よりも一方側に偏って配置され、第１の面はコンクリート基礎材の中央に対して偏った側に面するように配置されることにより、第１の面に取付けられる第１金具の平面部とコンクリート基礎材の側面との距離を確保でき、より立設強度を向上させることができる。
【００１４】
さらにまた、本発明に係る支柱基礎構造によれば、固定金具は支柱のコンクリート基礎材に埋め込まれる領域のうち上部と下部にそれぞれ装着されることにより、固定金具による支柱の立設強度をより向上させることができる。
【００１５】
そして、本発明に係る支柱基礎構造によれば、固定金具は支柱のコンクリート基礎材に埋め込まれる領域のうち上端部から下端部に渡る上下方向幅を有してなることにより、固定金具による支柱の立設強度をより向上させることができる。
【発明を実施するための最良の形態】
【００１６】
本発明の実施形態について、図面に沿って詳細に説明する。図１には本実施形態における支柱基礎構造の正面図を、図２には支柱基礎構造の横断面図を、それぞれ示している。これら各図においてコンクリート基礎材２は想像線で描かれている。図１に示すように、本実施形態における支柱基礎構造は、支柱１の下端部に固定金具３が取付けられ、固定金具３が取付けられた領域が埋設されるようにコンクリート基礎材２が打設されてなるものであり、かつ支柱１はコンクリート基礎材２の中央より一方側に偏芯配置されてなるものである。
【００１７】
図２に示すように、支柱１は断面略長方形状であって内部が中空状となるように形成されている。したがって、支柱１は四つの側面を有している。このうち支柱１がコンクリート基礎材２の中央に対して偏った側に面する側面を第１の面１０とし、第１の面と対向する側面を第２の面１１とする。固定金具３は二つの部品からなり、第１の面１０と第２の面１１を挟み込むように取付けられ連結されている。
【００１８】
固定金具３は、第１の面１０側に取付けられる第１金具２０と、第２の面１１側に取付けられる第２金具２１とが、締結具２２により連結される。第１金具２０は、支柱１の第１の面１０及びこの第１の面１０と直交する支柱１の側面１２、１２とを抱き込むようにして当接する凹部３０と、凹部３０の開口側端部から略直角方向に延びる平面部３１とで、断面略ハット状となるように形成されている。一方、第２金具２１は、支柱１の第２の面１１に当接する当接面３５と、この当接面から外方に延びて第１金具２０の平面部３１と対向する対向面３６とを有し、これらが一枚の平板状となるように形成されている。
【００１９】
第１金具２０の凹部３０は、支柱１の側面１２の幅の約三分の一の深さを有するように形成されており、したがって、第１金具２０の平面部３１と第２金具２１の対向面３６は、支柱１の側面１２の幅の半分以上の間隔を有して対向している。固定金具３が取付けられた支柱１の周囲にコンクリート基礎材２を打設することで、第１金具２０の平面部３１と第２金具２１の対向面３６の間にもコンクリートが充填される。
【００２０】
このように支柱１の側面１２から外方に向かって延出する金具間にコンクリートが充填されることで、支柱１の立設強度を高くすることができる。ここで、第１金具２０は支柱１の第１の面１０側を抱き込むように取付けられるので、固定金具３の支柱１に対する取付強度を大きくすることができ、かつ第１金具２０の平面部３１と第２金具２１の対向面３６との間隔が充分大きく確保されているので、支柱１の立設強度を大きくすることができる。
【００２１】
図３には、支柱１と固定金具３の分解横断面図を示している。この図に示すように、支柱１の第１の面１０側から第１金具２０を取付け、支柱１の第２の面１１側から第２金具２１を取付け、第１金具２０はビス２３により支柱１の第１の面１０に対して固定する。第１金具２０の平面部３１と第２金具２１の対向面３６には、それぞれ挿通孔３１ａ、３６ａが形成されており、これら挿通孔３１ａ、３６ａに締結具２２を構成するボルトを挿通し、反対側から締結具２２を構成するナットにより締結固定する。これによって固定金具３は支柱１に対して固定される。
【００２２】
また、図１に示すように、固定金具３は支柱１のコンクリート基礎材２に埋設される領域のうち上端部と下端部にそれぞれ設けられる。これによって、固定金具３が一つだけである場合よりも支柱１の立設強度をより大きくすることができる。
【００２３】
ここで、図１では固定金具３を二つ設けているものを示しているが、上下方向に幅広な固定金具３を一つ設けるようにしてもよい。図４には、別の例の固定金具３を有した支柱基礎構造の正面図を示している。この図に示すように、固定金具３を構成する第１金具２０と第２金具２１について、支柱１のコンクリート基礎材２に埋め込まれる領域のうち上端部から下端部に渡る上下方向幅を有するように形成することで、一対の固定金具によって充分な立設強度を確保することができる。
【００２４】
次に、本実施形態の支柱基礎構造を有した構造物の例として、カーポートについて説明する。図５にはカーポートの正面図を、図６にはカーポートの側面図を、それぞれ示している。これら各図に示すようにカーポートは、地面に立設される支柱１に梁４２を片持ち状に設けてなる前フレーム材４０と後フレーム材４１とを前後方向に並設し、前フレーム材４０と後フレーム材４１の各梁４２によって屋根体４３を支持してなるものである。
【００２５】
梁４２は直線状に形成される一方、屋根体４３は梁４２の長手方向に沿って湾曲状に形成されており、屋根体４３は両端部がそれぞれ梁４２に支持されると共に、中間部は湾曲状に形成され梁４２に載置される補助梁４４によって支持される。
【００２６】
このカーポートにおいて、支柱１の下端部は本実施形態の支柱基礎構造を有しており、支柱１はコンクリート基礎材２の中央よりも梁４２の延びる方向と反対側に偏って配置されている。支柱１の第１の面１０はコンクリート基礎材２の中央に対して偏った側に面するように配置され、これに伴い支柱１の第２の面１１は梁４２の延びる方向に面するように配置される。
【００２７】
支柱１は、屋根体４３を支持する梁４２の荷重を支えることとなるため、第２の面１１側に倒れる方向に力が加わる。固定金具３の平面部３１及び対向面３６は、梁４２の延びる方向に対して直交する方向に延びており、支柱１にかかる荷重を確実に受けることができる。したがって、支柱１の立設強度を適切に向上させることができる。
【００２８】
また支柱１は、第１金具２０を取付ける第１の面１０と第２金具２１を取付ける第２の面１１とが反対であってもよい。すなわち、第１の面１０が梁４２の延びる方向に面するようにして、当該第１の面１０に第１金具２０を取付け、第１の面１０と反対側の面を第２の面１１として第２金具２１を取付け、これらを締結具２２で連結固定するようにしてもよい。ただし、図５のように配置した方が、コンクリート基礎材２の支柱１が偏った側の端面と平面部３１または対向面３６との距離が大きく取れるので、より強度を大きくすることができる。
【００２９】
以上、本発明の実施形態について説明したが、本発明の適用は本実施形態には限られず、その技術的思想の範囲内において様々に適用されうるものである。例えば、本実施形態では支柱基礎構造をカーポートに適用したものについて示したが、テラスや渡り廊下など支柱が地面に立設される構成を有した他の構造物にも本実施形態の支柱基礎構造を適用することができる。
【図面の簡単な説明】
【００３０】
【図１】本実施形態における支柱基礎構造の正面図である。
【図２】支柱基礎構造の横断面図である。
【図３】支柱と固定金具の分解横断面図である。
【図４】別の例の固定金具を有した支柱基礎構造の正面図である。
【図５】カーポートの正面図である。
【図６】カーポートの側面図である。
【符号の説明】
【００３１】
１    支柱
２    コンクリート基礎材
３    固定金具
１０    第１の面
１１    第２の面
２０    第１金具
２１    第２金具
２２    締結具
２３    ビス
３０    凹部
３１    平面部
３５    当接面
３６    対向面
【図１】
0004964791.tif 000002
【図２】
0004964791.tif 000003
【図３】
0004964791.tif 000004
【図４】
0004964791.tif 000005
【図５】
0004964791.tif 000006
【図６】
0004964791.tif 000007